(57)【要約】      （修正有）【課題】多数のＬＥＤ発光板を利用し、光の照射角度を調整し、豊富な照射効果を発揮することができる角度を調整可能なＬＥＤ照明装置を提供する。【解決手段】角度を調整可能なＬＥＤ照明装置は、少なくとも１組の固定ハウジング１０を備え、固定ハウジング１０には、周囲を囲んで、少なくとも３枚のＬＥＤ発光板２０を環状に設置し、各ＬＥＤ発光板２０の底端両側には可動接続部をそれぞれ備え、固定ハウジング１０に可動状に設置し、これにより各ＬＥＤ発光板２０は、垂直に直立し、或いは傾斜する方式で、さまざまな照射角度を形成し、こうして照射効果をより豊かにすることができる。【選択図】図１
0003177658.tif 000002
【実用新案登録請求の範囲】
【請求項１】
角度を調整可能なLED照明装置は、おおむね中空筒状を備える少なくとも１組の固定ハウジングを備え、
前記固定ハウジングには、周囲を囲んで、少なくとも３枚のLED発光板を環状に設置し、
前記各LED発光板の底端両側には、可動接続部をそれぞれ備え、前記固定ハウジングに可動状に設置し、
これにより、前記LED発光板は、前記可動接続部を軸心として、前記固定ハウジングに相対し、外側へと傾斜し、或いは内側へと収納され、前記固定ハウジング周囲において直立し、
こうして、前記LED発光板の照射角度を調整することを特徴とする角度を調整可能なLED照明装置。
【請求項２】
前記各LED発光板前側には、プルレバーをそれぞれ設置し、背面部には、連接片をそれぞれ設置し、
前記各連接片反対端は、前記固定ハウジング中心位置へと延伸するスライド片にそれぞれ可動状に設置し、
前記スライド片は、それぞれスライド槽を備え、しかも前記スライド槽は、前記固定ハウジング中央に設置する定位棒上にそれぞれ嵌めて設置し、
これにより、前記スライド片は、前記定位棒に相対し、内側へ、或いは外側へとスライド移動することを特徴とする請求項１に記載の角度を調整可能なLED照明装置。
【請求項３】
前記固定ハウジング中央の定位棒外部には、圧縮バネを設置し、
前記圧縮バネ底端は、前記各スライド片上を弾性により圧迫し、
前記スライド片が、前記定位棒上において適当な位置までスライドした後に停止すると、前記圧縮バネの弾性圧迫により、前記スライド片は、スライドが停止した位置で定位されることを特徴とする請求項２に記載の角度を調整可能なLED照明装置。
【請求項４】
前記固定ハウジング底端には、ベースを設置し、
前記ベース上には、送風アセンブリを備え、
前記送風アセンブリの出風口は、前記各LED発光板背面部へと送風し、強制的に散熱させることを特徴とする請求項１或いは請求項２或いは請求項３に記載の角度を調整可能なLED照明装置。
【請求項５】
前記ベース内に、中空槽を備え、
前記送風アセンブリの進風口は、前記中空槽に通じ、
しかも、前記ベース底部には、フィルターを設置し、
これにより、空気は、前記フィルターを通過後に前記中空槽内に入り、前記送風アセンブリに吸引されることを特徴とする請求項４に記載の角度を調整可能なLED照明装置。
【請求項６】
前記送風アセンブリの出風口はさらに、前記ベース上に設置する導流部に接続し、
これにより、吹き出される空気は、前記ベース上にそれぞれ環状に設置される複数のLED発光板背面部へ向かい、送風により冷却することを特徴とする請求項５に記載の角度を調整可能なLED照明装置。
【請求項７】
前記各LED発光板上のLEDは、配列式とし、
しかも、前記LED発光板外表面を、一層の保護層で覆うことを特徴とする請求項１或いは請求項２或いは請求項３に記載の角度を調整可能なLED照明装置。
【請求項８】
前記固定ハウジングは、複数組が上、下に重なり、
前記各固定ハウジングはみな、少なくとも３枚のLED発光板を環状に設置することを特徴とする請求項１或いは請求項２或いは請求項３に記載の角度を調整可能なLED照明装置。
【請求項９】
前記上、下に重ねる固定ハウジング間には、等距離に環状に配列する複数の位置合わせ孔を設置し、
また、複数のボルトアセンブリを、前記位置合わせ孔に通し、固定することができ、
これにより、前記相互に重ねる固定ハウジング間は、さまざまな方向に位置合わせ調整を行うことができることを特徴とする請求項８に記載の角度を調整可能なLED照明装置。
【請求項１０】
前記位置合わせ孔は、一般の円孔、或いは弧状の長孔であることを特徴とする請求項９に記載の角度を調整可能なLED照明装置。
【請求項１１】
前記上、下に重なる固定ハウジング外部にはさらに、フェンスを嵌めて設置することを特徴とする請求項８に記載の角度を調整可能なLED照明装置。
【考案の詳細な説明】
【技術分野】
【０００１】
本考案は照明装置の構造技術に関し、特に多数のLED発光板を利用し、光の照射角度を調整し、豊富な照射効果を発揮することができる角度を調整可能なLED照明装置に関する。
【背景技術】
【０００２】
近年、LEDの照明技術は成熟度を増している。LEDは、耐用性が高く、消費電力が低いなどの長所を備える他、高輝度LED(Hi-Power LED)が出力できるパワー(ワット数)、及びルクスも向上しているため、LED照明はより幅広い応用がなされるようになっている。既に、街路灯、サーチライトなどのワット数の高い照明具としての使用が広がっている。
【０００３】
一般に照明として用いられる高輝度LEDは、多くが発光板モジュールの形態で製造される。しかし、大部分のLED照明装置、特に該照明装置が、多数組の発光板を備える場合には、各発光板の照射角度を任意に調整することはできない。そのため、LED照明装置が発揮することができる照射効果には限界がある。
【考案の概要】
【考案が解決しようとする課題】
【０００４】
本考案の目的は、優れた散熱効果を備え、使用者が照射方向を調整できるという効果を備える他、消費電力が低く、耐用性が高いなどのLEDの長所を生かし、照明装置の応用範囲を広げることができる角度を調整可能なLED照明装置を提供することである。
【課題を解決するための手段】
【０００５】
本考案は角度を調整可能なLED照明装置を提供する。角度を調整可能なLED照明装置は、おおむね中空筒状を備える少なくとも１組の固定ハウジングを備え、前記固定ハウジングには、周囲を囲んで、少なくとも３枚のLED発光板を環状に設置し、前記各LED発光板の底端両側には、可動接続部をそれぞれ備え、前記固定ハウジングに可動状に設置し、これにより、前記LED発光板は、前記可動接続部を軸心として、前記固定ハウジングに相対し、外側へと傾斜し、或いは内側へと収納され、前記固定ハウジング周囲において直立し、こうして、前記LED発光板の照射角度を調整する。
【０００６】
角度を調整可能なLED照明装置はまた、上、下に重ねて設置する複数の固定ハウジングを備え、該各固定ハウジングには、周囲を囲んで、少なくとも３枚のLED発光板を環状に設置し、該各LED発光板の底端は、該固定ハウジングに可動状に設置し、これにより照射角度を調整でき、該上、下に重なった固定ハウジングが相対的に傾斜することで、上、下層の複数のLED発光板は、それぞれ違った角度及び方向へと照射し、こうしてLED照明装置の照明角度と方向を、より多様化させることができる。
【０００７】
従来の技術に比較すれば、本考案角度を調整可能なLED照明装置は、調整が容易で、優れた散熱性能を備えるという長所を備え、しかも各種スポーツ及びイベント場所、広場、救難場所、夜間施工現場などの各種環境に応用でき、さらに、インジケーター、バックライトの光源として運用することができる。
【考案の効果】
【０００８】
本考案の角度を調整可能なLED照明装置は、調整が容易で、優れた散熱性能を備えるという長所を備え、しかも各種スポーツ及びイベント場所、広場、救難場所、夜間施工現場などの各種環境に応用でき、さらに、インジケーター、バックライトの光源として運用することができる。
【図面の簡単な説明】
【０００９】
【図１】本考案実施例の立体分解図である。
【図２】本考案実施例の散熱模式図である。
【図３】本考案実施例の局部立体分解図である。
【図４】本考案において、LED発光板の角度を調整する様子を示す側視図(一)である。
【図５】本考案において、LED発光板の角度を調整する様子を示す側視図(二)である。
【図６】本考案において、LED発光板の角度を調整する様子を示す俯視図(一)である。
【図７】本考案において、LED発光板の角度を調整する様子を示す俯視図(二)である。
【図８】本考案において、上、下固定ハウジングを設置する様子を示す立体分解図である。
【図９】本考案において、上、下固定ハウジングを設置する様子を示す使用模式図(一)である。
【図１０】本考案において、上、下固定ハウジングを設置する様子を示す使用模式図(二)である。
【図１１】本考案において、上、下固定ハウジングの方向を調整する様子を示す模式図である。
【図１２】本考案において、上、下固定ハウジング調整後の位置を示す模式図である。
【考案を実施するための形態】
【００１０】
本考案の技術内容、構造特徴、達成する目的を詳細に説明するため、以下に実施例を挙げ並びに図面を組み合わせて説明する。
【００１１】
図１、２に示すように、本考案角度を調整可能なLED照明装置は、おおむね中空筒状を備える少なくとも１組の固定ハウジング１０を備える。固定ハウジング１０上には、周囲を囲んで、少なくとも３枚のLED発光板２０を環状に設置する。しかも、固定ハウジング１０底端には、ベース３０を設置する。ベース３０上には、送風アセンブリ３１を備え、送風アセンブリ３１の出風口は、各LED発光板２０背面部の下方に位置する。ベース３０上には、若干の固定部３２を設置し、これにより固定ハウジング１０を設置して固定する。
【００１２】
図３に示すように、各LED発光板２０の底端両側には、可動接続部２１をそれぞれ備え、固定ハウジング１０に可動状に設置する。これにより、LED発光板２０は、可動接続部２１を軸心として、固定ハウジング１０に相対し、外側へと傾斜し、或いは内側へと収納され、固定ハウジング１０周囲において直立する。こうして、LED発光板２０の照射角度を調整する。
【００１３】
図３〜５に示すように、照射角度の調整の便のため、実施時には、各LED発光板２０前側に、プルレバー２２をそれぞれ設置し、背面部には、連接片２３をそれぞれ設置する。各連接片２３反対端は、固定ハウジング１０中心位置へと延伸するスライド片２４にそれぞれ可動状に設置する。スライド片２４は、それぞれスライド槽２５を備え、しかもスライド槽２５は、固定ハウジング１０中央に設置する定位棒１１上にそれぞれ嵌めて設置する。これにより、スライド片２４は、定位棒１１に相対し、内側へ、或いは外側へとスライド移動する。
【００１４】
図６、７に示すように、使用者があるLED発光板２０上のプルレバー２２を押し、或いは引くと、LED発光板２０背面部の連接片２３を通して、スライド片２４は、定位棒１１上において、内側へ、或いは外側へとスライド移動する。すなわち、LED発光板２０は、上記したように、可動接続部２１を軸心とし、固定ハウジング１０に相対して、外側へと傾斜し、或いは内側へと収納され、固定ハウジング１０周囲において直立する。こうして、LED発光板２０の照射角度を調整することができ、照射角度多様化の効果を達成することができる。
【００１５】
図３〜５に示すように、固定ハウジング１０中央に設置する定位棒１１外部には、圧縮バネ１２を設置する。圧縮バネ１２底端は、各スライド片２４上を弾性により圧迫する。スライド片２４が、定位棒１１上において適当な位置までスライドした後に停止すると、圧縮バネ１２の弾性圧迫により、スライド片２４は、スライドが停止した位置で定位される。こうして、LED発光板２０の角度を固定し、圧縮バネ１２の弾性圧迫により、LED発光板２０の調整定位後の揺れを防止する。
【００１６】
図１、２に示すように、ベース３０の実施時には、内部にさらに、中空槽３３を設置する。
送風アセンブリ３１の進風口は、中空槽３３に通じる。しかも、ベース３０底部には、フィルター３４を設置し、これにより空気は、フィルター３４を通過後に中空槽３３内に入り、送風アセンブリ３１に吸引される。送風アセンブリ３１の出風口は、ベース３０上に設置する導流部３５に接続する。これにより、吹き出される空気は、環状に設置される複数のLED発光板２０背面部へ向かい、送風により冷却する。こうして、LED発光板２０は、良好な散熱効果を達成することができる。
【００１７】
実施時には、各LED発光板２０上のLEDは、配列式とし、またLED発光板２０上のLEDを保護するため、LED発光板２０外表面を、一層の保護層で覆うことができる。保護層は、天候不良時には、防水の機能をも兼ね備える。
【００１８】
図８、９に示すように、実施時には、固定ハウジング１０は、複数組が上、下に重なり、各固定ハウジング１０はすべて、少なくとも１個のLED発光板２０を環状に設置する。これにより、上、下に重なった固定ハウジング１０は、相対的に傾斜し、こうして上、下層の複数のLED発光板２０は、それぞれ違った角度及び方向へと照射し、LED照明装置の照明角度と方向を、より多様化させることができる。
【００１９】
例えば、図１０に示す下層の複数のLED発光板２０は、垂直の角度に配置するが、これにより光線は、水平角度で遠方へと照射され、上層の複数のLED発光板２０は、下方へと傾斜した角度で配置され、こうして角度を調整可能なLED照明装置周囲の明るさを強化することができる。
【００２０】
図に示すように、上、下に重なる固定ハウジング１０外部にはさらに、フェンス４０を嵌めて設置する。フェンス４０は、ベース３０上に設置し、固定部３２により固定し、並びに固定ハウジング１０とLED発光板２０の外周を覆う。これにより、使用者の固定ハウジング１０及びLED発光板２０への誤接触を防止する。
【００２１】
図１１、１２に示すように、実施時には、上、下に重ねる固定ハウジング１０間には、等距離に環状に配列する複数の位置合わせ孔１３を設置する。これにより、相互に重ねる固定ハウジング１０は、さまざまな方向に位置を合わせることができる。また、複数のボルトアセンブリ１４を、位置合わせ孔１３に通し、固定することができる。これにより、上、下に重ねる固定ハウジング１０間は、複数のボルトアセンブリ１４を取り外さなくとも、スライド移動の方式で、相互に動かすことができる。位置合わせ孔１３は、一般の円孔、或いは図に示すような弧状の長孔である。
【００２２】
本実施例では、固定ハウジング１０間の位置合わせ関係の回転調整を通して、上層の固定ハウジング１０のLED発光板２０と、下層の固定ハウジング１０に固定するLED発光板２０とを、相対的に回転させて移動させる。これにより、上層の３枚のLED発光板２０と下層の３枚のLED発光２０とは、図９、１０に示すように、互い違いに配列され、６方向へと外に向かい均一に照射する光線を形成する。或いは、図１２に示すように、同じ方向に配列し、光線を特定の区域へと集中させることができる。
【００２３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２４】
１０  固定ハウジング
１１  定位棒
１２  圧縮バネ
１３  位置合わせ孔
１４  ボルトアセンブリ
２０  LED発光板
２１  可動接続部
２２  プルレバー
２３  連接片
２４  スライド片
２５  スライド槽
３０  ベース
３１  送風アセンブリ
３２  固定部
３３  中空槽
３４  フィルター
３５  導流部
４０  フェンス
【図１】
0003177658.tif 000003
【図２】
0003177658.tif 000004
【図３】
0003177658.tif 000005
【図４】
0003177658.tif 000006
【図５】
0003177658.tif 000007
【図６】
0003177658.tif 000008
【図７】
0003177658.tif 000009
【図８】
0003177658.tif 000010
【図９】
0003177658.tif 000011
【図１０】
0003177658.tif 000012
【図１１】
0003177658.tif 000013
【図１２】
0003177658.tif 000014